(57)【特許請求の範囲】
【請求項１】
上部が解放されて内部に芳香消臭剤を収納する箱状の収納部と、
前記収納部の解放された上部に着脱自在に嵌合される蓋部と
を含むケース部と、
前記収納部の後面に付設され、前記ケース部を空調装置のルーバーに固定する固定部と
を備え、
前記ケース部は、
前記収納部の内部と連通する通気口を後方へ向けた第１通気部と、前記収納部の内部と連通する通気口を後方以外の方向へ向けた第２通気部とが下半部に設けられることなく上半部に設けられ、
前記第２通気部は、
前記ケース部における左右方向の中央に設けられ、
前記第１通気部は、
前記第２通気部を挟んで左右両側に設けられる
ことを特徴とする空調装置用芳香消臭剤容器。
【請求項２】
前記第１通気部は、
前記蓋部に凸設され、前記ケース部の後方へ向けられた通気口から前記ケース部の内部前方へ向かって流入する空気の流れる方向を前記ケース部の内部下方へ変更するフードである
ことを特徴とする請求項１に記載の空調装置用芳香消臭剤容器。
【請求項３】
前記第１通気部は、
前記収納部の左右両側面に凸設され、前記ケース部の後方へ向けられた通気口から前記ケース部の内部前方へ向かって流入する空気の流れる方向を前記ケース部の内部中央へ変更するフードである
ことを特徴とする請求項１に記載の空調装置用芳香消臭剤容器。
【請求項４】
前記第２通気部は、
前記蓋部に設けられる
ことを特徴とする請求項１〜３のいずれか一つに記載の空調装置用芳香消臭剤容器。
【請求項５】
前記第２通気部の通気口を開閉する開閉部
をさらに備えることを特徴とする請求項１〜４のいずれか一つに記載の空調装置用芳香消臭剤容器。
【請求項６】
前記開閉部は、
前記第２通気部の通気口上を前後方向に段階的に摺動する板体である
ことを特徴とする請求項５に記載の空調装置用芳香消臭剤容器。
【請求項７】
前記芳香消臭剤は、
液体であり、前記液体を透過させることなく、前記液体が気化した気体を透過させる袋体に封入された状態で前記収納部に収納される
ことを特徴とする請求項１〜６のいずれか一つに記載の空調装置用芳香消臭剤容器。
【発明の詳細な説明】
【技術分野】
【０００１】
開示の実施形態は、空調装置用芳香消臭剤容器に関する。
【背景技術】
【０００２】
従来、芳香消臭剤等を収納し、空調装置の吹出口に取り付けることが可能な空調装置用芳香消臭剤容器がある。例えば、特許文献１には、車載エアコンの吹出口のルーバーに取り付けられ、芳香剤等を収納する箱状のケースの前後面全体に複数のスリットが設けられた空調装置用芳香消臭剤容器が開示されている。
【先行技術文献】
【特許文献】
【０００３】
【特許文献１】特開平０８−０２５９５６号公報
【発明の概要】
【発明が解決しようとする課題】
【０００４】
しかしながら、空調装置用芳香消臭剤容器は、箱状のケースの前後面全体にスリット等の孔が設けられていると、例えば、芳香剤等が液体の場合に、芳香剤等がケースの孔から漏れ出す恐れがある。また、空調装置用芳香消臭剤容器は、ケースに設けられる孔の位置によっては芳香消臭効果が低減することがある。
【０００５】
実施形態の一態様は、上記に鑑みてなされたものであって、芳香消臭剤の漏出および芳香消臭効果の低減を抑制することができる空調装置用芳香消臭剤容器を提供することを目的とする。
【課題を解決するための手段】
【０００６】
実施形態の一態様に係る空調装置用芳香消臭剤容器は、ケース部と、固定部とを備える。前記ケース部は、上部が解放されて内部に芳香消臭剤を収納する箱状の収納部と、前記収納部の解放された上部に着脱自在に嵌合される蓋部とを含む。さらに、前記ケース部は、前記収納部の内部と連通する通気口を後方へ向けた第１通気部と、前記収納部の内部と連通する通気口を後方以外の方向へ向けた第２通気部とを上半部に備える。前記固定部は、前記収納部の後面に付設され、前記ケース部を空調装置のルーバーに固定する。
【発明の効果】
【０００７】
実施形態の一態様によれば、芳香消臭剤の漏出および芳香消臭効果の低減を抑制することができる空調装置用芳香消臭剤容器を提供することができる。
【図面の簡単な説明】
【０００８】
【図１】図１は、実施形態に係る車両用芳香消臭剤容器の使用状態を示す説明図である。
【図２】図２は、実施形態に係る車両用芳香消臭剤容器の後面を示す説明図である。
【図３】図３は、実施形態に係る開閉部を取り外した状態の車両用芳香消臭剤容器の上面を示す説明図である。
【図４】図４は、実施形態に係る開閉部の上面を示す説明図である。
【図５】図５は、実施形態に係る開閉部の前面を示す説明図である。
【図６】図６は、実施形態に係る開閉部を取り付けた状態の車両用芳香消臭剤容器の上面を示す説明図である。
【図７】図７は、図６に示すＡ−Ａ´線による車両用芳香消臭剤容器の端面を示す説明図である。
【図８】図８は、図６に示すＢ−Ｂ´線による車両用芳香消臭剤容器の端面を示す説明図である。
【図９】図９は、実施形態の変形例１に係る車両用芳香消臭剤容器を示す説明図である。
【図１０】図１０は、実施形態の変形例２に係る車両用芳香消臭剤容器を示す説明図である。
【発明を実施するための形態】
【０００９】
以下、添付図面を参照して、本願の開示する空調装置用芳香消臭剤容器の実施形態を詳細に説明する。なお、以下に示す実施形態によりこの発明が限定されるものではない。本実施形態では、空調装置用芳香消臭剤容器が車両用である場合を例に挙げて説明するが、実施形態に係る空調用芳香消臭剤容器は、車両用に限定されるものではない。
【００１０】
実施形態に係る空調装置用芳香消臭剤容器は、例えば、室内エアコン、空気清浄器、加湿器、除湿器、および送風機など、空気の吹出口を備える任意の空調装置に適用することが可能である。
【００１１】
まず、図１および図２を参照し、実施形態に係る車両用芳香消臭剤容器１の使用状態および外観について説明する。図１は、実施形態に係る車両用芳香消臭剤容器１の使用状態を示す説明図である。また、図２は、実施形態に係る車両用芳香消臭剤容器１の後面（背面）を示す説明図である。
【００１２】
図１に示すように、車両用芳香消臭剤容器１は、車室内のエアコンの吹出口７における上下方向の中央よりも下部側で、平板状のルーバー７１に取り付けられて使用される。これにより、車両用芳香消臭剤容器１は、エアコンの動作中に、エアコンの送風を妨げることがない。
【００１３】
車両用芳香消臭剤容器１は、ケース部１０と、固定部３とを備える。ケース部１０は、上部が解放されて内部に芳香消臭剤を収納する箱状の収納部２と、収納部２の解放された上部に着脱自在に嵌合される蓋部４とを含む。固定部３は、収納部２の後面に、ケース部１０に対して回転自在に付設され、車室内のエアコンの吹出口７に設けられるルーバー７１を挟持することによって、ケース部１０をルーバー７１に固定する。
【００１４】
また、蓋部４は、第１通気部４１，４１と、第２通気部４２とを備える。図２に示すように、第１通気部４１，４１は、収納部２の内部と連通する通気口４１ａ，４１ａを後方へ向けたフードである。また、第２通気部４２は、収納部２の内部と連通する２つの通気口４２ａ，４２ａを備える。
【００１５】
そして、エアコンの吹出口７から送風がある場合、第１通気部４１の通気口４１ａ，４１ａが空気の取り込み口となり、第２通気部４２の通気口４２ａ，４２ａが芳香消臭剤の放出口となる。
【００１６】
一方、エアコンの吹出口７から送風がない場合、第１通気部４１の通気口４１ａ，４１ａ、および第２通気部４２の通気口４２ａ，４２ａが、芳香消臭剤の放出口となる。なお、かかるケース部１０内部の空気の流れについては、図７および図８を参照して後述する。
【００１７】
また、車両用芳香消臭剤容器１は、第２通気部４２の通気口４２ａ，４２ａを開閉する開閉部５を備える。図１および図２には、第２通気部４２の通気口４２ａ，４２ａを開放した状態の開閉部５を示している。なお、かかる開閉部５および第２通気部４２の構造については、図３〜図６を参照して後述する。
【００１８】
このように、車両用芳香消臭剤容器１は、ケース部１０の最上部である蓋部４に、通気口４１ａ，４１ａ，４２ａ，４２ａが設けられるため、例えば、芳香消臭剤が液体の場合に、芳香消臭剤がケース部１０から車室内に漏れ出すことを抑制することができる。
【００１９】
なお、図１および図２に示す第１通気部４１，４１、および第２通気部４２の配設位置は、一例である。第１通気部４１，４１、および第２通気部４２の配設位置の変形例については、図９および図１０を参照して後述する。
【００２０】
次に、図３〜図６を参照し、開閉部５および第２通気部４２の構造について説明する。図３は、実施形態に係る開閉部５を取り外した状態の車両用芳香消臭剤容器１の上面を示す説明図である。図４は、実施形態に係る開閉部５の上面を示す説明図である。
【００２１】
また、図５は、実施形態に係る開閉部５の前面を示す説明図である。図６は、実施形態に係る開閉部５を取り付けた状態の車両用芳香消臭剤容器１の上面を示す説明図である。
【００２２】
以下、図１および図２を参照して説明した構成要素については、図１または図２に示す符号と同一の符号を付することにより、その説明を省略する。図３に示すように、第２通気部４２は、蓋部４における前部中央に左右２つの通気口４２ａ，４２ａを備える。
【００２３】
また、第２通気部４２は、２つの通気口４２ａ，４２ａ挟んで両側に、前後方向へ延伸する細長なガイド４３，４３を備える。そして、通気口４２ａ，４２ａは、ガイド４３，４３に接する部分に、ガイド４３，４３に沿って後方へ向けて延伸するスリット状の切り込み部４２ｂ，４２ｂを備える。
【００２４】
また、第２通気部４２は、蓋部４の中央で通気口４２ａ，４２ａの切り込み部４２ｂ，４２ｂによって挟まれる位置に、前後方向へ等間隔を空けて設けられる複数の（ここでは、３つ）の凹部４４を備える。各凹部４４は、それぞれ、左右方向へ延伸する溝である。
【００２５】
一方、開閉部５は、図４および図５に示すように、上面視矩形状の板体であり、前部に立設されるツマミ部５１を備える。かかる開閉部５は、上面視における左右の長さが一対のガイド４３，４３（図３参照）の間隔と略等しく、前後の長さが前述の切り込み部４２ｂ，４２ｂを含む通気口４２ａ，４２ａ（図３参照）の前後長と等しい。
【００２６】
また、開閉部５は、略中央に上面視Ｃ字状の切欠部５０を備え、切欠部５０によって囲まれる位置の下面に、図５に示す爪状の凸部５３を備える。さらに、開閉部５は、前部の下面における左右両端に差し込み部５２，５２を備える。差し込み部５２，５２は、開閉部５の下面から下方へ向けて垂設されて、先端が開閉部５の左右方向外側へ屈曲した鈎状である。
【００２７】
かかる開閉部５は、一対の差し込み部５２，５２をそれぞれ第２通気部４２の通気口４２ａ，４２ａにおける切り込み部４２ｂ，４２ｂへ差し込むことで、図６に示すように、第２通気部４２上に取り付けられる。
【００２８】
そして、開閉部５は、車両用芳香消臭剤容器１の使用者がツマミ部５１をつまんで、前後方向へ力を加えると、ガイド４３の延伸方向に沿って前後に摺動する。これにより、使用者は、第２通気部４２の通気口４２ａ，４２ａの開口面積の大きさを調整することで、芳香剤の放出量を調整することができる。
【００２９】
また、開閉部５は、前後方向へ摺動される場合に、中央裏面の凸部５３（図５参照）が、第２通気部４２における中央上面の凹部４４（図３参照）に順次係合する。これにより、車両用芳香消臭剤容器１は、第２通気部４２の通気口４２ａ，４２ａの開口面積の大きさが段階的に設定可能である。
【００３０】
しかも、車両用芳香消臭剤容器１は、第２通気部４２の通気口４２ａ，４２ａの開口面積の大きさが設定される場合に、凸部５３が凹部４４に係合するため、車両が走行中に振動しても、通気口４２ａ，４２ａの開口面積が変化することを防止することができる。
【００３１】
次に、図７および図８を参照し、ケース部１０内部の空気の流れについて説明する。図７は、図６に示すＡ−Ａ´線による車両用芳香消臭剤容器１の端面を示す説明図である。図８は、図６に示すＢ−Ｂ´線による車両用芳香消臭剤容器１の端面を示す説明図である。
【００３２】
図７および図８に示すように、収納部２の内部には、袋体６１に封入された液状の芳香消臭剤６２が収納される。袋体６１は、液体を透過させることなく、液体が気化した気体を透過させるメンブレンによって形成されたものである。袋体６１は、触れる空気量が多いほど、芳香消臭剤６２の発散量が多くなるメンブレンによって形成される。
【００３３】
これにより、車両用芳香消臭剤容器１は、ケース部１０に直接、液体の消臭芳香剤を収納した場合の消臭芳香剤の発散量に比べて、適量の芳香を長期に渡り定量に放出することができる。
【００３４】
ケース部１０は、図７に示すように、エアコンの吹出口７から送風がある場合、第１通気部４１の通気口４１ａが後方を向いているため、図７に太線矢印で示すように、通気口４１ａから収納部２の内部へ強制的に空気が送り込まれる。
【００３５】
このとき、車両用芳香消臭剤容器１は、第２通気部４２の通気口４２ａの開口面積が比較的小さくなるように、開閉部５の位置が設定されることによって、芳香量を適量に調整することができる。
【００３６】
また、第１通気部４１は、フードであるため、通気口４１ａに対して後方から前方へ向けて流入する空気の流路が、フードによって収納部２の内部下方向へ向けられる。これにより、通気口４１ａから流入する空気が袋体６１へ接触して、袋体６１内部の芳香消臭剤６２を気化させ、気化した芳香消臭剤６２の気体が袋体６１の表面から収納部２内へ発散される。
【００３７】
また、ケース部１０は、蓋部４の上面における左右両側の２か所に設けられる第１通気部４１，４１から内部へ空気が送り込まれるため、１箇所から空気が送り込まれる場合に比べて内部の空気が効果的に撹拌される。これにより、ケース部１０は、芳香消臭剤６２の気化を促進させることができる。
【００３８】
また、ケース部１０は、図８に示すように、第２通気部４２の通気口４２ａが上方を向いている。このため、ケース部１０は、図８に太線矢印で示すように、収納部２の内部で気化した芳香消臭剤６２の気体を、第１通気部４１から送り込まれる空気によって、第２通気部４２の通気口４２ａから車室内の上方へ向けて拡散させることができる。
【００３９】
一方、ケース部１０は、エアコンの吹出口７から送風がない場合、第１通気部４１の通気口４１ａから収納部２の内部へ空気が送り込まれることはない。ただし、収納部２の内部では、芳香消臭剤６２の自然蒸発が起こる。
【００４０】
これにより、ケース部１０は、エアコンの吹出口７から送風がない場合に芳香消臭剤６２の気体を放出する第２通気部４２に加えて、第１通気部４１からも芳香消臭剤６２の気体を放出することができる。
【００４１】
このとき、車両用芳香消臭剤容器１は、第２通気部４２の通気口４２ａの開口面積が比較的大きくなるように、開閉部５の位置が設定されることによって、芳香量を適量に調整することができる。
【００４２】
なお、これまで、第１通気部４１および第２通気部４２が蓋部４に設けられる場合について説明したが、かかる構成は一例であり、種々の変形が可能である。次に、図９および図１０を参照し、実施形態の変形例に係る車両用芳香消臭剤容器１の変形例について説明する。
【００４３】
図９は、実施形態の変形例１に係る車両用芳香消臭剤容器を示す説明図である。図１０は、実施形態の変形例２に係る車両用芳香消臭剤容器を示す説明図である。ここでは、図９および図１０に示す構成要素のうち、図１または図２に示す構成要素と同一の構成要素については、図１または図２に示す符号と同一の符号を付することにより、その説明を省略する。
【００４４】
図９に示すように、変形例１の車両用芳香消臭剤容器１ａは、ケース部１０ａの構成が図１および図２に示すケース部１０とは異なる。具体的には、ケース部１０ａは、収納部２ａの左右両側面における上半部に、それぞれ内部と連通する通気口４５ａを後方へ向けた第１通気部４５を備え、蓋部４ａは、第１通気部４１（図１および図２参照）を備えない。なお、図９に示す第１通気部４５の形状は、図１および図２に示す第１通気部４１と同一である。
【００４５】
かかる変形例１の車両用芳香消臭剤容器１ａでは、エアコンの吹出口７から送風がある場合、収納部２ａの左右両側面上半部に設けられた通気口４５ａが空気の取り込み口となり、第２通気部４２の通気口４２ａが芳香消臭剤６２の放出口となる。
【００４６】
また、変形例１の車両用芳香消臭剤容器１ａでは、エアコンの吹出口７から送風がない場合、第１通気部４５の通気口４５ａ、および第２通気部４２の通気口４２ａ，４２ａが、芳香消臭剤６２の放出口となる。したがって、変形例１の車両用芳香消臭剤容器１ａは、芳香消臭効果の低減を抑制することができる。
【００４７】
しかも、変形例１の車両用芳香消臭剤容器１ａは、ケース部１０ａの下半部に、内部と連通する穴がないので、仮に、芳香消臭剤６２が封入された袋体６１が破損した場合でも、芳香消臭剤６２が車室内に漏出することを抑制することができる。
【００４８】
また、図１０に示すように、変形例２の車両用芳香消臭剤容器１ｂは、ケース部１０ｂの構成が図１および図２に示すケース部１０とは異なる。具体的には、ケース部１０ｂは、収納部２ｂの後面で固定部３を挟んだ左右両側の上半部に、それぞれ内部と連通する通気口４６を備え、蓋部４ｂは、第１通気部４１（図１および図２参照）を備えない。
【００４９】
かかる変形例２の車両用芳香消臭剤容器１ｂでは、エアコンの吹出口７から送風がある場合、収納部２ｂ後面の上半部左右２箇所に設けられた通気口４６が空気の取り込み口となり、第２通気部４２の通気口４２ａが芳香消臭剤６２の放出口となる。
【００５０】
また、変形例２の車両用芳香消臭剤容器１ｂでは、エアコンの吹出口７から送風がない場合、収納部２ｂ後面の上半部左右２箇所に設けられた通気口４６、および第２通気部４２の通気口４２ａ，４２ａが、芳香消臭剤６２の放出口となる。
【００５１】
したがって、変形例２の車両用芳香消臭剤容器１ｂは、芳香消臭効果の低減を抑制することができる。しかも、変形例２の車両用芳香消臭剤容器は、エアコンの吹出口７から送風がある場合に、空気の取り込み口となる通気口４６にフードを設ける必要がないため、製造コストを低減することも可能である。
【００５２】
また、変形例２の車両用芳香消臭剤容器１ｂは、ケース部１０ｂの下半部に、内部と連通する穴がないので、仮に、芳香消臭剤６２が封入された袋体６１が破損した場合にも、芳香消臭剤６２が車室内に漏出することを抑制することができる。
【００５３】
なお、変形例１、２の車両用芳香消臭剤容器１ａ，１ｂは、第２通気部４２に代えて、収納部２ａ，２ｂの前面における上半部に、通気口を備える構成であってもよい。また、変形例１、２の車両用芳香消臭剤容器１ａ，１ｂは、図１および図２に示す車両用芳香消臭剤容器１と同一の第１通気部４１をさらに備える構成であってもよい。
【００５４】
上述したように、実施形態に係る車両用芳香消臭剤容器は、ケース部と、固定部とを備える。ケース部は、上部が解放されて内部に芳香消臭剤を収納する箱状の収納部と、収納部の解放された上部に着脱自在に嵌合される蓋部とを含む。固定部は、収納部の後面に付設され、ケース部を車室内のエアコンのルーバーに固定する。
【００５５】
そして、ケース部は、収納部の内部と連通する通気口を後方へ向けた第１通気部と、収納部の内部と連通する通気口を後方以外の方向へ向けた第２通気部とを上半部に備える。これにより、車両用芳香消臭剤容器は、収納する芳香消臭剤が液体である場合に、芳香消臭剤が車室内に漏出することを抑制することができる。
【００５６】
さらに、車両用芳香消臭剤容器は、エアコンの吹出口から送風がある場合、第１通気部の通気口が空気の取り込み口となり、第２通気部の通気口が芳香消臭剤の放出口となる。これにより、車両用芳香消臭剤容器は、エアコンから送り込まれる送風を利用して、芳香消臭剤を効率的に車室内に放出することができる。
【００５７】
また、車両用芳香消臭剤容器は、エアコンの吹出口から送風がない場合、第１通気部の通気口、および第２通気部の通気口が、芳香消臭剤の放出口となる。これにより、車両用芳香消臭剤容器は、エアコンからの送風がない場合にも、第１通気部および第２通気部の双方から芳香消臭剤を放出することによって、芳香消臭効果の低減を抑制することができる。
【００５８】
しかも、車両用芳香消臭剤容器は、ケース部の下半部に第１通気部および第２通気部を備えず、ケース部の上半部に第１通気部および第２通気部を備える。これにより、車両用芳香消臭剤容器は、ケース部の内部へ過剰に空気が取り込まれること、およびケース部から過剰に芳香消臭剤を放出することを抑制することができる。
【００５９】
したがって、車両用芳香消臭剤容器は、例えば、収納する芳香消臭剤が濃縮されており、一般的な芳香消臭剤に比べて、芳香消臭効果が高い薬剤である場合に、一般的な容器に比べて、芳香消臭剤を少量ずつ長期間にわたって継続的に放出させることができる。
【００６０】
また、第２通気部は、ケース部における左右方向の中央に設けられる。そして、第１通気部は、第２通気部を挟んで左右両側に設けられる。これにより、車両用芳香消臭剤容器は、エアコンの吹出口から送風がある場合、ケース部の左右両側にある第１通気部から、ケース内部を経由して、ケース部の中央にある第２通気部へ向かう斜め方向の空気の流路を形成することができる。
【００６１】
したがって、車両用芳香消臭剤容器は、エアコンの吹出口から送風がある場合に、取り込む空気量が少量であっても、ケース部内の空気を撹拌することによって、効率的に芳香消臭剤の気化を促すことができる。
【００６２】
また、第１通気部は、蓋部に設けられる。これにより、車両用芳香消臭剤容器は、第１通気部からケース部外への芳香消臭剤の漏出をより確実に抑制することができる。また、第２通気部は、蓋部に設けられる。これによっても、車両用芳香消臭剤容器は、第１通気部からケース部外への芳香消臭剤の漏出をより確実に抑制することができる。
【００６３】
また、第２通気部の通気口を開閉する開閉部をさらに備える。車両用芳香消臭剤容器は、芳香消臭剤の効果が比較的強い場合に、開閉部によって第２通気部を閉塞することにより、芳香消臭剤の過剰な放出を抑制することができる。
【００６４】
また、開閉部は、第２通気部の通気口上を前後方向に段階的に摺動する板体である。車両用芳香消臭剤容器は、開閉部が段階的に摺動されることにより、芳香消臭剤の放出量の調整が可能となる。
【００６５】
また、車両用芳香消臭剤容器が収納する芳香消臭剤は、液体であり、液体を透過させることなく、液体が気化した気体を透過させる袋体に封入された状態で収納部に収納される。これにより、車両用芳香消臭剤容器は、芳香消臭剤の車室内への漏出をさらに抑制することができると共に、適量の気化した芳香消臭剤を車室内へ放出させることができる。
【００６６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６７】
１，１ａ，１ｂ  車両用芳香消臭剤容器
２，２ａ，２ｂ  収納部
３  固定部
４，４ａ，４ｂ  蓋部
４１，４５  第１通気部
４２  第２通気部
４１ａ，４２ａ，４５ａ，４６  通気口
４２ｂ  切り込み部
４３  ガイド
４４  凹部
５  開閉部
５０  切欠部
５１  ツマミ部
５２  差し込み部
５３  凸部
６１  袋体
６２  芳香消臭剤
７  吹出口
７１  ルーバー
１０，１０ａ，１０ｂ  ケース部
【図１】
0006505033.tif 000002
【図２】
0006505033.tif 000003
【図３】
0006505033.tif 000004
【図４】
0006505033.tif 000005
【図５】
0006505033.tif 000006
【図６】
0006505033.tif 000007
【図７】
0006505033.tif 000008
【図８】
0006505033.tif 000009
【図９】
0006505033.tif 000010
【図１０】
0006505033.tif 000011